(57)【特許請求の範囲】
【請求項１】
切り花用の活け水を収容する水槽を階段状に複数段備え、上段側の水槽内に給水された活け水を一定の水位に保持しつつ次段の下段側の水槽内にオーバーフローさせて同下段側の水槽内に給水する切り花展示用フラワーショーケースであり、
前記上段側の水槽が、同水槽の下方部位における前端部側を前記下段側の水槽の上方部位における後端部側に重合した状態で配置されていて、
前記上段側の水槽内の前端部の底部に起立状態で設けたオーバーフローパイプからオーバーフローする活け水が前記下段側の水槽内の後端部にて受水されるように構成され、
前記オーバーフローパイプは上端開口部からオーバーフローさせるパイプ本体と、前記パイプ本体の上端開口部から上側に突出する突出部とを備え、前記突出部の作用によって前記上端開口部を通して前記パイプ本体内に進入する異物の進入を阻止するようにしたことを特徴とする切り花展示用フラワーショーケース。
【請求項２】
請求項１に記載の切り花展示用フラワーショーケースにおいて、
前記オーバーフローパイプは前記パイプ本体の上側に補助パイプを着脱可能に備え、
前記オーバーフローパイプは前記補助パイプの上端開口部から前記パイプ本体内に流入させた活け水をオーバーフローさせるようして、前記オーバーフローパイプによりオーバーフローさせる活け水の高さを調整可能としたことを特徴とする切り花展示用フラワーショーケース。
【発明の詳細な説明】
【技術分野】
【０００１】
本発明は、切り花展示用フラワーショーケースに関する。
【背景技術】
【０００２】
切り花展示用フラワーショーケースの一形式として、切り花用の活け水を収容する水槽を階段状に複数段備え、上段側の水槽内に給水された活け水を一定の水位に保持しつつ次段の下段側の水槽内にオーバーフローさせて同下段側の水槽内に給水する形式の切り花展示用フラワーショーケースがある（特許文献１，２を参照）。
【０００３】
当該形式の従来のフラワーショーケースにおいては、上段側の水槽と次段の下段側の水槽とは、上段側の水槽内に設けたオーバーフローパイプと下段側の水槽の本体とを、接続用配管を介して互いに接続し、または、上段側の水槽の外に設けたオーバーフローパイプと下段側の水槽とを、接続用配管を介して互いに接続する手段が採られている。
【先行技術文献】
【特許文献】
【０００４】
【特許文献１】特開２００１−０７０１１９号公報
【特許文献２】特開２００５−１２５０４９号公報
【発明の概要】
【発明が解決しようとする課題】
【０００５】
ところで、上段側の水槽と下段側の水槽を接続用配管を介して水系管路的に接続するフラワーショーケースにおいては、接続する水槽の数に相当する接続用配管が必要で、この分、部品点数が増加してコストの増大を招き、また、水漏れが生じ易すい接続部位が多くなる。
【０００６】
また、当該フラワーショーケースにおいては、使用する接続用配管を配置するためのスペースを確保する必要があって、この分、フラワーショーケースが大型化するとともに、メンテナンスを要する部位が増加することになる。
【０００７】
従って、本発明の目的は、基本的には、この種形式の従来のフラワーショーケースが必須不可欠とする接続用配管の使用を廃止して、上段側の水槽と下段側の水槽とを、接続用配管を介することなく、水経路的に接続することにある。これにより、フラワーショーケースの水系管路的に接続するのに必要な接続用配管に相当する分、部品点数を低減して、フラワーショーケースのコストの低減を図り、接続部位の低減による水漏れ部位の低減を図り、接続用配管の配置スペースの不要によりフラワーショーケースの小型化を図り、メンテナンスを要する部位の低減を図ることにある。
【課題を解決するための手段】
【０００８】
本発明は、切り花用の活け水を収容する水槽を階段状に複数段備え、上段側の水槽内に給水された活け水を一定の水位に保持しつつ次段の下段側の水槽内にオーバーフローさせて同下段側の水槽内に給水する切り花展示用フラワーショーケースであり、上段側の水槽が、同水槽の下方部位における前端部側を下段側の水槽の上方部位における後端部側に重合した状態で配置されていて、上段側の水槽内の前端部の底部に起立状態で設けたオーバーフローパイプからオーバーフローする活け水が下段側の水槽内の後端部にて受水されるように構成され、オーバーフローパイプは上端開口部からオーバーフローさせるパイプ本体と、パイプ本体の上端開口部から上側に突出する突出部とを備え、突出部の作用によって上端開口部を通してパイプ本体内に進入する異物の進入を阻止するようにしたことを特徴とする切り花展示用フラワーショーケースを提供するものである。
【０００９】
上記のように構成した切り花展示用フラワーショーケースにおいては、オーバーフローパイプはパイプ本体の上側に補助パイプを着脱可能に備え、オーバーフローパイプは補助パイプの上端開口部からパイプ本体内に流入させた活け水をオーバーフローさせるようして、オーバーフローパイプによりオーバーフローさせる活け水の高さを調整可能とするのが好ましい。
【発明の効果】
【００１６】
本発明に係る切り花展示用フラワーショーケースにおいては、基本的には、上段側の水槽と下段側の水槽とを、接続用配管を使用することなく、直接、水経路的に接続する構成を採っている。このため、当該フラワーショーケースでは、従来使用していた接続用配管の本数に相当する分、部品点数の低減に起因するコストの低減を図ることができるとともに、接続部位の低減に起因する水漏部位の低減を図ることができる。また、当該フラワーショーケースにおいては、接続用配管の配置スペースが不要なることから、少なくとも接続用配管の配置スペースの分、フラワーショーケースの小型化を図ることができる。さらには、当該フラワーショーケースにおいては、接続用配管による上下の水槽同士の連結部位（接続部位）が存在しないことから、メンテナンス時には、各水槽を正面側から取外することができ、かつ、取付けることができる。このため、当該フラワーショーケースのメンテナンスが容易になる。さらに、パイプ本体の上端開口部から上側に突出する突出部の作用にて、上端開口部を通してパイプ本体内へ切り花から落下した花弁や葉等の異物の侵入を阻止することができ、オーバーフローパイプが異物によって目詰まりが生じたり、異物が上段側の水槽から下段側の水槽内へ侵入するのを防止することができる。
【００１７】
また、上記のように構成した切り花展示用フラワーショーケースにおいては、オーバーフローパイプはパイプ本体の上側に補助パイプを着脱可能に備え、オーバーフローパイプは補助パイプの上端開口部からパイプ本体内に流入させた活け水をオーバーフローさせるようして、オーバーフローパイプによりオーバーフローさせる活け水の高さを調整可能としたので、適宜の長さの補助パイプに取り替える、または、補助パイプの先端部を切断して適宜の長さに調整することにより、オーバーフローパイプにおける水槽内の底部に対する上端開口部の高さを所望の位置に変更することができ、水槽内に収容する活け水の水位を容易に変更することができる。換言すれば、当該オーバーフローパイプを採用することにより、水槽内に収容する活け水の収容量を容易に変更することができる。
【図面の簡単な説明】
【００２７】
【図１】本発明の一実施形態に係るフラワーショーケースの正面図である。
【図２】当該フラワーショーケースの側面図である。
【図３】花桶を収容した水槽を縦断したサイドパネルを取り外した状態の当該フラワーショーケースの側面図である。
【図４】当該フラワーショーケースの水経路を主として示す概略構成図である。
【図５】当該フラワーショーケースを構成する水槽の正面側の斜め上方からみた斜視図（ａ）、および、平面図（ｂ）である。
【図６】当該水槽における図５（ｂ）の 矢印６−６線方向にみた縦断側面図である。
【図７】当該フラワーショーケースに使用する花桶の一実施形態を示す正面側の上方からみた斜視図（ａ）、側面図（ｂ）、および、縦断側面図（ｃ）である。
【図８】保持部材である保持パイプの平面図（ａ）、および、保持部材である保持板の平面図（ｂ）である。
【図９】当該フラワーショーケースにおける、一例のオーバーフロー手段であるオーバーフローパイプの正面図（ａ）、平面図（ｂ）、底面図（ｃ）、一方向から見た斜視図（ｄ）、および、他方向からみた斜視図（ｅ）である。
【図１０】当該フラワーショーケースにおける、他のオーバーフロー手段を設けた水槽を示す平面図である。
【発明を実施するための形態】
【００２８】
本発明は、切り花用の活け水を収容する水槽を階段状に複数段備え、上段側の水槽内に給水された活け水を一定の水位に保持しつつ次段の下段側の水槽内にオーバーフローさせて同下段側の水槽内に給水する形式の切り花展示用フラワーショーケースである。本発明は、基本的には、当該形式のフラワーショーケースにおいて、上段側の水槽内に給水された活け水を下段側の水槽内へ給水する水経路を、接続用配管を使用することなく構成することにある。
【００２９】
図１は、本発明に係るフラワーショーケースの一実施形態を示す正面図、図２は、当該フラワーショーケースの側面図、図３は、花桶を収容した水槽を縦断し、サイドパネルを取り外した状態の当該フラワーショーケースの側面図、図４は、当該フラワーショーケースの水経路を主として示す概略構成図である。但し、図１および図２では、当該フラワーショーケースが有する４本の脚部は省略している。
【００３０】
本発明の一実施形態に係るフラワーショーケースは、フレーム構造体１０における階段の各段部１１ａ，１１ｂ，１１ｃ上に配置された水槽２０内に収容した花桶３０内に、切り花を挿入して展示に供するもので、本実施形態では、図３および図４に示すように、フレーム構造体１０の階段の各段部１１ａ〜１１ｃ上に、互いに並列配置した状態の水槽２０ａ，２０ｂが３階段に配設している。当該フラワーショーケースの使用時には、水槽２０ａ，２０ｂ内のそれぞれに、左右一対の花桶３０が収容される。
【００３１】
当該フラワーショーケースにおいては、フレーム構造体１０における階段の下方の空間部が機械室となっていて、当該機械室には、電解水生成装置４０を構成する電解槽機構部４１、濃塩水タンク４２、電解水生成装置４０の電解運転を制御する制御装置等が配設されている。機械室の前側は、フロントパネル１２にて覆蓋されている。なお、フレーム構造体１０においては、その側部に、サイドパネル１３ａ，１３ｂ、および、化粧板１４が取付けられている。サイドパネル１３ａは当該機械室の側部を覆蓋し、化粧板１４は階段状に配置された各水槽２０ａ，２０ｂの側部を覆蓋している。サイドパネル１３ｂは、ガラス板等透視可能なサイドパネルであって、当該切り花展示用の空間部の側部を覆蓋している。
【００３２】
当該フラワーショーケースを構成する水槽２０は、図５および図６に示すように、上方が開口する長方形状を呈する函体２２であって、函体２２を構成する周壁２２ａの内部には多数のリブが立設されている。各リブは、函体２２の内部に、花桶３０を収容する左右一対の収容空間部２２ｂ1，２２ｂ2を形成している。また、各リブは、函体２２の内部における各収容空間部２２ｂ1，２２ｂ2の後方の部位に、函体２２の内部に給水される活け水を受水する左右一対の受水空間部２２ｃ1，２２ｃ2を形成している。さらには、函体２２の内部における各収容空間部２２ｂ1，２２ｂ2の前側の底部には、オーバーフローパイプ２１を立設するための取付孔部２４ａ，２４ｂが形成されている。なお、当該水槽２０においては、オーバーフローパイプ２１は、取付孔２４ａ，２４ｂに選択的に取付けられるもので、オーバーフローパイプ２１が取付けられない方の取付孔は閉塞される。
【００３３】
また、当該水槽２０の函体２２内には、各花桶３０の外周と函体２２の内壁２２ａ間に生じる活け水の水流を規制すべく、一対のリブ２３ａ，２３ａが立設されている。各リブ２３ａ，２３ａは、受水空間部２２ｃ1，２２ｃ2に給水された活け水の、各花桶３０の外周と函体２２の周壁２２ａ間を流れる水流を規制する。また、函体２２内には、収容空間部２２ｂ1，２２ｂ2の一隅部のそれぞれに、ガイドとして機能するリブ２３ｂ，２３ｂが立設されている。これらのリブ２３ｂ，２３ｂは、各花桶３０を各収容空間部２２ｂ1，２２ｂ2に収容する際、各リブ２３ａ，２３ａと協働して、各花桶３０を各収容空間部２２ｂ1，２２ｂ2に案内すべく機能する。
【００３４】
当該水槽２０の函体２２内に設置した各リブのうち、左右の中央部に位置する前後のリブ２３ｃには、溝部２３ｃ1が形成されている。また、左右の各側部に位置する左右のリブ２３ｄには、溝部２３ｄ1が形成されている。各溝部２３ｃ1，２３ｄ1には、保持部材である図８（ａ）に示す保持パイプ２５が取外し可能に嵌合される。各溝部２３ｃ1には、保持パイプ２５を構成する縦パイプ２５ａが、各溝部２３ｄ1には、保持パイプ２５を構成する横パイプ２５ｂが取外し可能に嵌合される。
【００３５】
嵌合された保持パイプ２５は、花桶３０の各収容空間部２２ｂ1，２２ｂ2の底部より所定高さ上方に位置して、周囲のリブとともに、丈の短い切り花を保持する空間部を形成する。当該空間部には、展示される通常の切り花より丈が短くて、花桶３０に収容した場合に不安定な状態となるような短い丈の仏花等が収容される。
【００３６】
また、当該水槽２０においては、左右の各側部に位置する左右のリブ２３ｄの上端面（頂部）が、保持部材である図８（ｂ）に示す保持板２６を載置する受承部に形成されている。当該保持板２６は、左右一対の貫通穴２６ａ，２６ｂを備えていて、各リブ２３ｄの受承部に載置した状態では、各収容空間部２２ｂ1，２２ｂの底部より所定高さ上方に位置する。当該保持板２６は、このように載置された状態では、各貫通穴２６ａ，２６ｂを、仏花等丈の短い切り花を保持すべく機能させる。
【００３７】
当該フラワーショーケースにおいては、当該水槽２０を、フレーム構造体１０の階段の３段の各段部１１ａ〜１１ｃ上に、図４に示すように、左右一対配置する構成を採っている。図４では、左右の各水槽を、水槽２０ａおよび水槽２０ｂとして表示している。
【００３８】
当該フラワーショーケースにおいては、図４に示す各水槽２０ａ，２０ｂのうち、上段の各水槽２０ａ，２０ｂにおけるオーバーフローパイプ２１は、図示左側の取付孔部２４ａに取付けられて起立して、中段の各水槽２０ａ，２０ｂ内の左側の受水空間部２２ｃ1の上方部位に臨み、中段の各水槽２０ａ，２０ｂにおけるオーバーフローパイプ２１は、図示右側の取付孔部２４ｂに取付けられて起立して、下段の各水槽２０ａ，２０ｂ内の右側の受水空間部２２ｃ２の上方部位に臨み、下段の各水槽２０ａ，２０ｂにおけるオーバーフローパイプ２１は、図示左側の取付孔部２４ａに取付けられて起立して、主排水管５４に接続されている。
【００３９】
各水槽２０ａ，２０ｂを図４に示すように配置するには、例えば、先ず、各水槽２０ａ，２０ｂを下段の段部１１ｃに配置し、次いで、各水槽２０ａ，２０ｂを中段の段部１１ｂに配置し、最後に、各水槽２０ａ，２０ｂを上段の段部１１ａに配置する。この場合、各水槽２０ａ，２０ｂを中段の段部１１ｂ上に配置するには、配置すべき各水槽２０ａ，２０ｂの前側の下方の部位を、下段の各水槽２０ａ，２０ｂの後側の上方の部位に重合した状態で、中段の段部１１ｂ上に載置する。また、各水槽２０ａ，２０ｂを上段の段部１１ａに配置するには、これと同様、設置すべき各水槽２０ａ，２０ｂの前側の下方の部位を、中段の各水槽２０ａ，２０ｂの後側の上方の部位に重合した状態で、上段の段部１１ａ上に載置する。
【００４０】
当該フラワーショーケースにおいては、各水槽２０ａ，２０ｂ内に、図７に示す花桶３０を収容し、各花桶３０内に切り花を挿入して、各花桶３０内挿入された活け花を展示に供するようになっていて、各水槽２０ａ，２０ｂ内への活け水である電解生成酸性水の給水は、電解水生成装置４０を電解運転することによって行われる。当該電解水生成装置４０は、給水管５１を介して、上段の各水槽２０ａ，２０ｂに接続されている。
【００４１】
なお、当該フラワーショーケースにおいては、各水槽２０ａ，２０ｂは排水管を備えていない。各水槽２０ａ，２０ｂ内の活け水の排水は、各水槽２０ａ，２０ｂを清掃する場合であることが多く、この場合には、各水槽２０ａ，２０ｂ内に設置されているオーバーフローパイプ２１を各水槽２０ａ，２０ｂから抜き取れば、各水槽２０ａ，２０ｂ内の活け水をオーバーフローパイプの取付孔部を通して完全に排水されることになる。
【００４２】
当該電解水生成装置４０は、被電解水を有隔膜電解する有隔膜電解槽を主体とする電解槽機構部４１と、被電解水を調製するための濃塩水を収容する濃塩水タンク４２を主体とする被電解水調製機構からなるもので、電解槽機構部４１を構成する有隔膜電解槽の陽極側電解室が給水管５１を介して、上段の各水槽２０ａ，２０ｂに接続されている。また、有隔膜電解槽には、被電解水の給水管５２が接続されている。給水管５２は、水道管に接続されているとともに、有隔膜解槽の接続部位より上流側の部位に、濃塩水タンク４２が給水管５２ａを介して接続されている。
【００４３】
これにより、濃塩水タンク４２からは、水道水が流れる給水管５２内に、設定された所定量の濃塩水が継続して供給され、濃塩水は給水管５２内を流動する水道水によって希釈されて希薄塩水に調製され、調製された希薄塩水は被電解水として、電解槽機構部４１を構成する有隔膜電解槽に供給される。当該有隔膜電解槽では、陽極側電解室にて電解生成酸性水が生成され、生成された電解生成酸性水は活け水として、給水管５１を通して上段の各水槽２０ａ，２０ｂ内に給水される。
【００４４】
当該フラワーショーケースにおいては、給水管５１の途中に、三方弁５３ａを介して注出管５３ｂが接続されていて、電解運転中に三方弁５３ａを開放することにより、活け水である電解生成酸性水を注出管５３ｂを通して注出することができるようになっている。これにより、切り花の購入者に対して、活け水である電解生成酸性水を提供するサービスが行えるようになっている。
【００４５】
当該フラワーショーケースにおいて、電解水生成装置４０の電解運転が開始されると、電解槽機構部４１の有隔膜電解槽の陽極側電解室にて電解生成酸性水が生成される。生成された電解生成酸性水は活け水として、給水管５１を通して上段の各水槽２０ａ，２０ｂ内に給水される。該電解生成酸性水は、上段の各水槽２０ａ，２０ｂ内の右側の受水空間部２２ｃ2に給水される。
【００４６】
当該受水空間部２２ｃ2にて受水された活け水は、リブ２３ａの水流規制作用により、右側の収容空間部２２ｂ2に収容されている花桶３０の下方側部に位置する多数のスリット状穴から花桶３０内に導入されつつ、リブ２３ａの水流規制作用により、左側の収容空間部２２ｂ1に流動し、同収容空間部２２ｂ1に収容されている花桶３０の下方側部に位置する多数のスリット状穴から花桶３０内に導入される。この間、上段の水槽２０ａ，２０ｂ内への給水は継続され、函体２２内が所定の水位に上昇した際には、函体２２内で余剰となった活け水は、左側に立設したオーバーフローパイプ２１を通して、中段の各水槽２０ａ，２０ｂの左側の受水空間部２２ｃ1にオーバーフローして給水されることになる（図４の上段、中段の水槽２０ａ，２０ｂを参照）。
【００４７】
中段の各水槽２０ａ，２０ｂの左側の受水空間部２２ｃ1にて受水された活け水は、左側の収容空間部２２ｂ1に収容されている花桶３０の下方側部に位置する多数のスリット状穴から花桶３０内に導入されつつ、右側の収容空間部２１ｂ2に流動し、同収容空間部２１ｂ2に収容されている花桶３０の下方側部に位置する多数のスリット状穴から花桶３０内に導入される。この間、上段の各水槽２０ａ，２０ｂから中段の各水槽２０ａ，２０ｂ内への給水は継続され、函体２２内が所定の水位に上昇した際には、函体２２内で余剰となった活け水は、右側に立設されたオーバーフローパイプ２１を通して、下段の各水槽２０ａ，２０ｂの右側の受水空間部２２ｃ2にオーバーフローして給水されることになる（図４の中段、下段の水槽２０ａ，２０ｂを参照）。
【００４８】
下段の各水槽２０ａ，２０ｂの右側の受水空間部２２ｃ2にて受水された活け水は、右側の収容空間部２２ｂ2に収容されている花桶３０の下方側部に位置する多数のスリット状穴から花桶３０内に導入されつつ、左側の収容空間部２２ｂ1に流動し、同収容空間部２２ｂ1に収容されている花桶３０の下方側部に位置する多数のスリット状穴から花桶３０内に導入される。この間、中段の各水槽２０ａ，２０ｂから下段の各水槽２０ａ，２０ｂ内への給水は継続され、函体２２内が所定の水位に上昇した際には、函体２２内で余剰となった活け水は、左側に立設されたオーバーフローパイプ２１を通して、主排水管５４にオーバーフローして排水されることになる（図４の下段の水槽２０ａ，２０ｂを参照）。
【００４９】
当該フラワーショーケースにおいては、下段の水槽２０ａ．２０ｂ内および各花桶３０内が満杯となって、下段の水槽２０ａ，２０ｂ内の余剰の活け水がオーバーフローパイプ２１を通して所定量排水された場合には、その時点で、電解水生成装置４０の電解運転を停止し、各水槽２０ａ，２０ｂ内への給水を終了させる。
【００５０】
花桶３０は、図７に示すように、横断面が略正方形の角状の有底筒体であって、底部から上端に向けてテーパ状に漸次拡開する筒体３１を主体とするもので、筒体３１の上端は斜め下方に切断された状態にあって、その開口部３１ａは斜め下方に傾斜する開口部となっている。また、筒体３１の下方の部位の四方の壁部には、互いに並列して上下方向に延びる多数のスリット状穴３１ｂが形成されている。当該花桶３０においては、筒体３１の上端開口部３１ａの外周の全周縁に、外向きフランジ状の傾斜面部３２を備えている。当該傾斜面部３２の左右の側部には、下方へ延びる下向きフランジ部３３を備えている。
【００５１】
当該花桶３０の傾斜面部３２は、円弧状で下降傾斜する形状を呈していて、上段側の水槽２０に収容されている花桶３０の傾斜面部３２の下端部と、その下段側の水槽２０に収容されている花桶３０の傾斜面部３２の上端が互いに嵌合状態に連係して、上下両傾斜面部３２同士は、図１〜図３に示すように、複数の円弧状に盛り上った状態で一体に下降傾斜する下降傾斜面を形成する。また、花桶３０の下向きフランジ部３３は、水槽２０内に左右一対の花桶３０が収容された状態では、互いに対向する側の下向きフランジ部３３は当接した状態で連係して、各花桶３０を起立状態に保持するとともに、左右の傾斜面部３２同士が左右に一体の下降傾斜面を形成する。
【００５２】
全ての花桶３０の傾斜面部３２が形成する上下および左右に一体の下降傾斜面は、図１〜図３に示すように、全ての水槽２０ａ，２０ｂおよびフレーム構造体１０の階段を上方から覆蓋し、切り花から落下する水滴、花弁、葉等を受承して、各水槽２０ａ，２０ｂ内、および、階段上への落下を阻止する。下降傾斜面上に落下した水滴、花弁、葉等は、自らまたは作業者の補助により下降傾斜面上を下方へ滑って、所定の場所に捕集される。
【００５３】
このように構成した本発明に係る切り花展示用フラワーショーケースにおいては、基本的には、上段の各水槽２０ａ，２０ｂと中段の各水槽２０ａ，２０ｂとをオーバーフローパイプ２１を介して水経路的に接続し、かつ、中段の水槽２０ａ，２０ｂと下段の各水槽２０ａ，２０ｂとを、オーバーフローパイプ２１を介して、水経路的に接続する構成を採っている。このため、当該接続構造では、従来使用している接続用配管は不要である。
【００５４】
従って、当該フラワーショーケースにおいては、少なくとも、従来使用していた接続用配管の本数に相当する分、部品点数の低減に起因して、コストの低減を図ることができるとともに、接続部位の低減に起因して、水漏れ部位の低減を図ることができる。
【００５５】
また、当該フラワーショーケースにおいては、従来の接続用配管を取回しするための配置スペースが不要なることから、少なくとも、接続用配管の配置スペースの分、フラワーショーケースの小型化を図ることができる。さらには、当該フラワーショーケースにおいては、接続用配管による上下の水槽同士の連結部位（接続部位）が存在しないことから、メンテナンス時には、各水槽を、当該フラワーショーケースの正面側から取外することができ、かつ、取付けることができる。このため、当該フラワーショーケースのメンテナンスが容易になる。
【００５６】
当該フラワーショーケースにおいては、上記した基本的な構成に加えて、水槽２０ａ，２０ｂ内の給水を受ける受水部を、水槽２０ａ，２０ｂ内に設けたリブにて包囲された空間部（受水空間部２２ｃ1，２２ｃ2）に形成している。当該構成によれば、水槽２０ａ，２０ｂ内に活け水を給水する際には、水槽２０ａ，２０ｂ内の活け水を受け入れる受水空間部２２ｃ1，２２ｃ2での活け水の跳上や、水槽２０ａ，２０ｂ内の全面の波打ち等を大幅に減少させることができ、水槽２０ａ，２０ｂ内の活け水の給水や入れ替えを安定した状態で行うことができる。
【００５７】
また、当該フラワーショーケースにおいては、各水槽２０ａ，２０ｂ内に、各水槽２０ａ，２０ｂの内壁と収容された花桶３０の外周との間で生じる活け水の水流を規制する規制部位（リブ２３ａ）を形成している。当該構成によれば、各水槽２０ａ，２０ｂの一方側から給水される活け水は、各花桶３０の底部近傍に設けた多数のスリット状穴３１ｂから各花桶３０内に導入するとともに各スリット状穴３１ｂから導出して、当該水槽２０ａ，２０ｂおよび各花桶３０を満杯状態とした後、余剰の活け水はオーバーフローすることになる。
【００５８】
このため、各水槽２０ａ，２０ｂ内および各花桶３０内を短時間でかつ的確に満杯状態とすることができるとともに、各水槽２０ａ，２０ｂ内や各花桶３０内の活け水の入れ替えを迅速かつ効率よく行うことができる。さらには、当該規制部位を構成するリブ２３ａは、他のリブと協働して、各花桶３０を収容空間部２２ｂ1，２２ｂ2に収容する際のガイドとして機能し、各花桶３０を所定の収容空間部２２ｂ1，２２ｂ2に的確にセットすることができるとともに、各水槽２０ａ，２０ｂ内に設けた各リブは、各水槽２０ａ，２０ｂに対する補強部材として機能し、各水槽２０ａ，２０ｂ内に活け水を入れ替える際の水圧の変化による変形を防止することができる。
【００５９】
当該フラワーショーケースにおいては、仏花等、丈の短い切り花を、各水槽２０ａ，２０ｂ内に嵌合して配設した保持パイプ２５が形成する保持枠部内に挿入して保持し、また、各水槽２０ａ，２０ｂ内に受承して配設した保持板２６の各貫通穴２６ａ，２６ｂに挿入して保持することができる。これにより、丈の短い切り花を、花桶３０とは異なる特殊な構造の花桶を使用することなく、各水槽２０ａ，２０ｂ内に直接挿入して、安定した起立状態で展示に供することができる。
【００６０】
本発明に係るフラワーショーケースにおいては、各水槽２０ａ，２０ｂを互いに接続するオーバーフロー手段として、常用のオーバーフローパイプを採用することができるが、当該フラワーショーケースにおいては、常用のオーバーフローパイプに替えて、図９に示す新規なオーバーフローパイプ２１を採用している。
【００６１】
当該オーバーフローパイプ２１は、パイプ本体２１ａと、パイプ本体２１ａの外周に嵌合された補助パイプ２１ｂによって構成されている。補助パイプ２１ｂは、塩化ビニール等の合成樹脂製であって、予め所定長さの切断された状態で、パイプ本体２１ａの外周の脱着可能に嵌合されている。当該補助パイプ２１ｂは、その上端開口部がオーバーフロー口部となっていて、当該オーバーフローパイプ２１の本来のオーバーフロー口部を有するパイプ本体２１ａに代えて、当該オーバーフローパイプ２１のオーバーフロー口部を構成する。このため、当該補助パイプ２１ｂを、適宜の長さの補助パイプに付け替えることにより、  当該オーバーフローパイプ２１のオーバーフロー口部の水槽２０内の底部に対する高さを容易に変更することができる。
【００６２】
なお、当該補助パイプ２１ｂについては、パイプ本体２１ａの外周に予め嵌合された長尺のパイプを所望の長さに切断することによって形成することもできる。この場合には、当該オーバーフローパイプ２１のオーバーフロー口部の水槽２０内の底部に対する高さを、所望の高さに容易に変更することができる。
【００６３】
当該補助パイプ２１ｂの上端開口部２１ｂ1は、当該オーバーフローパイプ２１が本来有するオーバーフロー口部に代わるものである。従って、補助パイプ２１ｂの上端開口部２１ｂ1を、オーバーフロー口部２１ｂ1と称する。当該オーバーフローパイプ２１においては、パイプ本体２１ａを構成する軸心部が突起部２１ｃに形成されている。当該突起部２１ｃは、断面十字状に形成され軸部２１ｃ1の頂部に頭部２１ｃ2を有するもので、補助パイプ２１ｂが形成するオーバーフロー口部２１ｂ1から上方へ所定長さ突出している。
【００６４】
かかる構成のオーバーフローパイプ２１においては、上記したように、パイプ本体２１ａの外周に補助パイプ２１ｂを嵌合することにより、オーバーフローパイプ２１の取付部位の底部からのオーバーフロー口部２１ｂ1の高さを任意に変更することができる。従って、当該オーバーフローパイプ２１を採用すれば、オーバーフロー口部２１ｂ1の位置を上下に容易に変更して、各水槽２０ａ，２０ｂ内に収容すべき活け水の水位を容易に変更することができる。換言すれば、各水槽２０ａ，２０ｂ内に収容する活け水の収容量を容易に変更することができる。
【００６５】
また、当該オーバーフローパイプ２１においては、断面十字状の突起部２１ｃが可動パイプ２１ｂが形成するオーバーフロー口部２１ｂ1から上方へ突出している。当該突起部２１ｃは、各水槽２０ａ，２０ｂ内の余剰の活け水がオーバーフロー口部２１ｂ1を通してオーバーフローする際には、活け水に存在する切り花から落下した花弁や葉等の異物の、オーバーフロー口部２１ｂ1を通してオーバーフローパイプ２１内への侵入を阻止する。このため、オーバーフローパイプ２１の当該異物による目詰まりや、当該異物の下段側の水槽２０ａ，２０ｂ内への侵入が防止される。
【００６６】
但し、当該フラワーショーケースにおいては、各水槽２０ａ，２０ｂ内に、特殊な形状および構造の花桶３０を収容して、当該花桶３０内に切り花を挿入した状態で展示に供する場合には、全ての花桶３０の傾斜面部３２が、全ての水槽２０ａ，２０ｂを上方から覆蓋する下降傾斜面を形成することから、花桶３０を使用する場合には、当該オーバーフローパイプ２１は必ずしも必要ではない。花桶３０を使用しない場合や、下降傾斜面を形成することがない単なる筒体のみからなる通常の花桶を使用する場合に、当該オーバーフローパイプ２１は有効に機能する。
【００６７】
また、本発明に係るフラワーショーケースにおいては、各水槽２０ａ，２０ｂを互いに接続するオーバーフロー手段として、オーバーフローパイプ以外のオーバーフロー手段を採用することができる。当該オーバーフロー手段は、水槽２０ａ，２０ｂの変形例である図１０に示す水槽２０ｃに設けられているもので、函体２２内の前側に位置するリブ２３ｅの頂部のいずれかに、選択的に設けたオーバーフロー溝部２３ｅ1である。この場合、各水槽２０ａ，２０ｂにおけるオーバーフローパイプが取付けられる部位は、リブ２３ｅにて函体２２の本体とは区画された底無しの無底空間部２２ｄ1，２２ｄ2となっていて、当該無底空間部２２ｄ1，２２ｄ2は次段の下段側の水槽２０ｃの受水空間部の上方に臨んでいる。
【００６８】
当該オーバーフロー溝部２３ｅ1を有する水槽２０ｃによれば、水槽２０ｃ内の余剰の活け水は、リブ２３ｅに設けたオーバーフロー溝部２３ｅ1を通って、いずれかの空間部２２ｄ1，２２ｄ2にオーバーフローして、下段側の水槽２０ｃの各受水空間部２２ｃ1，２２ｃ2のいずれかに給水される。
【００６９】
従って、当該オーバーフロー溝部２３ｅ1を備える水槽２０ｃを採用すれば、活け水に存在する切り花から落下して花や葉等の異物は、オーバーフロー溝部２３ｅ1を通して下段側の水槽２０ｃ内に流下し、オーバーフロー水経路が塞がれるようなことはない。このため、当該水槽２０ｃ内の活け水がオーバーフロー水経路の閉塞に起因して、フラワーショーケースのケース本体の内外に漏水するこようなことはない。
【００７０】
但し、当該フラワーショーケースにおいては、各水槽２０ａ，２０ｂ内に、特殊な形状および構造の花桶３０を収容して、当該花桶３０内に切り花を挿入した状態で展示に供する場合には、全ての花桶３０の傾斜面部３２が、全ての水槽２０ａ，２０ｂを上方から覆蓋する下降傾斜面を形成することから、花桶３０を使用する場合には、当該オーバーフローパイプ２１は必ずしも必要ではない。花桶３０を使用しない場合や、下降傾斜面を形成することがない単なる筒体のみからなる通常の花桶を使用する場合に、当該水槽２０ｃは有効に機能する。
【符号の説明】
【００７１】
１０…フレーム構造体、１１ａ〜１１ｃ…段部、１２…フロントパネル、１３ａ，１３ｂ…サイドパネル、１４…化粧板、２０（２０ａ，２０ｂ）…水槽、２０ｃ…水槽、２１…オーバーフローパイプ、２１ａ…パイプ本体、２１ｂ…補助パイプ、２１ｂ1…オーバーフロー口部、２１ｃ…突起部、２１ｃ1…軸部、２１ｃ2…頭部、２１ｄ…オーバーフロー口部、２２…函体、２２ａ…周壁、２２ｂ1，２２ｂ2…収容空間部、２２ｃ1，２２ｃ2…受水空間部、２２ｄ1，２２ｄ2…無底空間部、２３ａ，２３ｂ，２３ｃ，２３ｄ…リブ、２３ｃ1，２３ｄ1…溝部、２３ｅ…リブ、２３ｅ1…オーバーフロー溝部、２４ａ，２４ｂ…取付孔部、２５…保持パイプ、２５ａ，２５ｂ…、２６…保持板、２６ａ，２６ｂ…貫通穴、３０…花桶、３１…筒体、３１ａ…開口部、３２…傾斜面部、３３…下向きフランジ部、４０…電解水生成装置、４１…電解槽機構部、４２…濃塩水タンク、５１，５２，５２ａ…給水管、５３ａ…三方弁、５３ｂ…注出管、５４…排水管。
【図１】
0005848090.tif 000002
【図２】
0005848090.tif 000003
【図３】
0005848090.tif 000004
【図４】
0005848090.tif 000005
【図５】
0005848090.tif 000006
【図６】
0005848090.tif 000007
【図７】
0005848090.tif 000008
【図８】
0005848090.tif 000009
【図９】
0005848090.tif 000010
【図１０】
0005848090.tif 000011